(57)【要約】      （修正有） 【課題】傘を開いた状態で傘布を支持する部分が回転可能になるとともに、自動開閉傘の引線が該傘布を支持する部分の回転を阻害することのない自動開閉傘を提供する。【解決手段】自動開閉傘は、中棒１と、上ろくろ２と、下ろくろ３と、傘布支持部４とを含む。中棒１は中空であって、軸方向に延伸する軸線Ｙを具える。上ろくろ２は、中棒１の上端に回動自在に設け、上ろくろ本体２１と、係合部材２２と、可動上ろくろ２３とを含む。上ろくろ本体２１は、中棒１を挿入する挿入部２１１を具える。また、上ろくろ本体２１の上下両端には、第１枢着部２１２と第１係合部２１３とを形成する。係合部材２２は上ろくろ本体２１に取付け、第２枢着部２２１と突起部２２２とを形成する。第２枢着部２２１は第１枢着部２１２に対応する。突起部２２２と第１枢着部２１２との間には、軸線Ｙに沿って第１嵌合部２２３を形成する。可動上ろくろ２３は第１嵌合部２２３に嵌合し、かつ連動して回転する第２嵌合部２３１を具える。【選択図】図１
0003200434.tif 000002
【実用新案登録請求の範囲】
【請求項１】
軸方向に延伸する軸線Ｙを具える中空の中棒と、上ろくろ本体と、係合部材と、可動上ろくろとを含んでなり、
該中棒の上端に回動自在に設ける上ろくろと、下ろくろ本体と、可動下ろくろと、一方の側に設けた索輪と該索輪に当接し、かつ該上ろくろに連結する引線を具える滑車座とを含んでなり、
該中棒に回動自在に設ける下ろくろと、該可動上ろくろと該可動下ろくろとに連結する複数の傘骨と、該傘骨の外面を覆う傘布とを含んでなる傘布支持部と、を含む自動開閉傘であって、
該上ろくろ本体は、中空の筒状を呈し、中棒を回動自在に挿設するとともに、上下両端には、それぞれ第１枢着部と第１係合部とを有し、
該係合部材は、該上ろくろ本体に取付けられ、かつ上下両端に第２枢着部と突起部とをそれぞれ有し、該第２枢着部は該第１枢着部に対応し、該突起部と該第１枢着部間には第１嵌合部を有し、該可動上ろくろを該中棒に対して回動自在に設けられ、
該滑車座は中空の筒状を呈し、嵌挿部を具え、かつ両端には、該１係合部に係合する第２係合部と、第１連結部とを有し、
該下ろくろ本体は該滑車座に接続し、かつ該第１連結部に連結する第２連結部を有し、該嵌挿部に回動自在に挿設して該可動下ろくろが該中棒に対して回動自在に設けられ、
傘を開いた状態時、該上ろくろ本体と該下ろくろ本体とが、該第１係合部に該第２係合部が係合して位置決めされて任意な回転を防ぎ、該傘布支持部が該可動上ろくろと該可動下ろくろとに連動し、該可動上ろくろと該可動下ろくろとが同期して該中棒に対して回転するように構成することを特徴とする傘布を支持する部分が回動する自動開閉傘。
【請求項２】
前記下ろくろ本体の上端縁部には位置決め部を有し、かつ該可動下ろくろが位置決めされる位置には複数で等間隔の位置決め孔を有し、該可動下ろくろの回転時、該位置決め部が該位置決め孔内に押接して該可動下ろくろを位置決めすることを特徴とする請求項１に記載の傘布を支持する部分が回動する自動開閉傘。
【請求項３】
前記位置決め部が、凹溝と、該凹溝に設ける弾性体と、該弾性体の上端に設けられるとともに、該位置決め孔に押接される位置決め球体とを含んでなることを特徴とする請求項２に記載の傘布を支持する部分が回動する自動開閉傘。
【請求項４】
前記中棒の外周は八角形か、凹状か、凸状であることを特徴とする請求項１に記載の傘布を支持する部分が回動する自動開閉傘。
【請求項５】
前記下ろくろ本体と該上ろくろ本体の内周の形状は該中棒の外周の形状に対応し、該下ろくろ本体と該上ろくろ本体との内周面と中該棒の外周面との間に一定の力の干渉が発生して、該下ろくろ本体と該上ろくろ本体との回転を防ぐことを特徴とする請求項４に記載の傘布を支持する部分が回動する自動開閉傘。
【請求項６】
前記第２嵌合部は環状の突起部であり、該１嵌合部は環状の溝であって、該環状の突起部が該環状の溝に嵌合して該可動上ろくろが該中棒に対し回動自在に設けられることを特徴とする請求項１に記載の傘布を支持する部分が回動する自動開閉傘。
【請求項７】
前記第１係合部と該第２係合部とは互いに係合可能であり、傘を開いた状態時、該上ろくろ本体と該下ろくろ本体とが互いに連結して位置決めされ、該下ろくろ本体が任意に回転することを防ぐことを特徴とする請求項１に記載の傘布を支持する部分が回動する自動開閉傘。
【請求項８】
前記第１連結部と該第２連結部とは、螺着か、もしくは係合によって連結することを特徴とする請求項１に記載の傘布を支持する部分が回動する自動開閉傘。
【請求項９】
前記上ろくろ本体は、該中棒を挿入する挿入部を具えることを特徴とする請求項１に記載の傘布を支持する部分が回動する自動開閉傘。
【請求項１０】
前記可動下ろくろには該嵌挿部に対応する環状嵌合部を有し、該可動下を該嵌挿部に回動自在に挿設して該可動下ろくろを該中棒に対して回動自在に設けることを特徴とする請求項１に記載の傘布を支持する部分が回動する自動開閉傘。
【考案の詳細な説明】
【技術分野】
【０００１】
この考案は、自動開閉機構を具えた傘に関し、特に、傘を開くと傘布と傘布を支持する部分が回転可能になり、風などの外部から受ける力の影響を受けにくい自動開閉傘に関する。
【背景技術】
【０００２】
日常生活において、傘は必要不可欠な用具であって、雨の日には雨よけに、陽射しの強い時は陽光を遮るために用いられる。但し、一般に強い風を伴う雨、特に突風などに見舞われた場合、風から受ける力によって傘は容易に破損する。傘が風から受ける力は大きく、親骨などの変形、切断、もしくは中棒が曲がるなどの損壊が発生しやすく、甚だしくは傘の使用寿命を短くしてしまう。
【０００３】
また、傘を開いた場合、他の物体が当たったりする場合もある。然し、従来の傘には、外部からの衝撃を緩衝する機能はなく、さらには傘布と傘布を支持する部分が中棒に対して回動自在に設けられていないため、他の物体が当たって衝撃を受けた場合は、親骨などの変形、切断、もしくは中棒が曲がるなどの損壊が容易に発生する。この場合、当たるのが物体ではなく人であれば、露先などの尖った部分が刺さり傷を負わせる恐れもある。
【０００４】
上述する問題を改善するために、台湾では傘布を支持する部分が中棒に対して回動自在に設けられた傘が開発された。この傘布を支持する部分が回転する傘は、回動自在に設けた上ろくろを具える。即ち、該上ろくろは、上ろくろベース座体と、可動上ろくろとを含んでなり、該可動上ろくろは該上ろくろベース座体に回動自在に連結し、かつ該上ろくろを中棒に設ける。
【０００５】
上述する傘を使用する場合、強風に遭遇、もしくは他の物体が当たったとしても、傘布を支持する部分が中棒を中心として回転するため、従来の傘の欠点である露先などの尖った部分が刺さり他人を傷つけたり、中棒が曲がったり、損傷を受けたりすることは発生しない。
【０００６】
然しながら、上述する傘布を支持する部分が回動自在に設けられた傘は、その構造上自動開閉傘に応用することができない。即ち、従来の自動開閉傘は上ろくろと下ろくろとの間に引線が設けられていて、また従来の自動開閉傘においては下ろくろ全体が回転する。よって、図９に開示するように、下ろくろ全体が回転すると、下ろくろと上ろくろとの間に設けた引線が絡まり回転を阻害する。このような欠点を如何にして解決するかが、当業者の課題となっている。
【考案の概要】
【考案が解決しようとする課題】
【０００７】
この考案は、傘開いた状態で傘布を支持する部分が回転可能になるとともに、自動開閉傘の引線が該傘布を支持する部分の回転を阻害することのない自動開閉傘を提供することを課題とする。
【課題を解決するための手段】
【０００８】
そこで、本考案者は従来の傘布支持部が回転する傘の欠点に鑑み鋭意研究を重ねた結果、軸方向に延伸する軸線Ｙを具える中空の中棒と、
上ろくろ本体と、係合部材と、可動上ろくろとを含んでなり、該中棒の上端に回動自在に設ける上ろくろと、
下ろくろ本体と、可動下ろくろと、一方の側に設けた索輪と該索輪に当接し、かつ該上ろくろに連結する引線を具える滑車座とを含んでなり、該中棒に回動自在に設ける下ろくろと、
該可動上ろくろと該可動下ろくろとに連結する複数の傘骨と、該傘骨の外面を覆う傘布とを含んでなる傘布支持部と、を含む自動開閉傘であって、
該上ろくろ本体は、中空の筒状を呈し、中棒を回動自在に挿設するとともに、上下両端には、それぞれ第１枢着部と第１係合部とを形成し、
該係合部材は、該上ろくろ本体に取付け、かつ上下両端に第２枢着部と突起部とをそれぞれ形成し、該第２枢着部は該第１枢着部に対応して形成し、該突起部と該第１枢着部間には第１嵌合部を形成し、該可動上ろくろを該中棒に対して回動自在に設け、
該滑車座は中空の筒状を呈し、嵌挿部を具え、かつ両端には、該１係合部に係合する第２係合部と、第１連結部とを設け、
該下ろくろ本体は該滑車座に接続し、かつ該第１連結部に連結する第２連結部を設け、該嵌挿部に回動自在に挿設して該可動下ろくろが該中棒に対して回動自在に設けられてなる傘布を支持する部分が回動する自動開閉傘によって課題を解決でできる点に着眼し、係る知見に基づいて本考案を完成させた。
【０００９】
以下この考案について説明する。請求項１に記載する傘布を支持する部分が回動する自動開閉傘は軸方向に延伸する軸線Ｙを具える中空の中棒と、
上ろくろ本体と、係合部材と、可動上ろくろとを含んでなり、該中棒の上端に回動自在に設ける上ろくろと、
下ろくろ本体と、可動下ろくろと、一方の側に設けた索輪と該索輪に当接し、かつ該上ろくろに連結する引線を具える滑車座とを含んでなり、該中棒に回動自在に設ける下ろくろと、
該可動上ろくろと該可動下ろくろとに連結する複数の傘骨と、該傘骨の外面を覆う傘布とを含んでなる傘布支持部と、を含む自動開閉傘であって、
該上ろくろ本体は、中空の筒状を呈し、中棒を回動自在に挿設するとともに、上下両端には、それぞれ第１枢着部と第１係合部とを形成し、
該係合部材は、該上ろくろ本体に取付け、かつ上下両端に第２枢着部と突起部とをそれぞれ形成し、該第２枢着部は該第１枢着部に対応して形成し、該突起部と該第１枢着部間には第１嵌合部を形成し、該可動上ろくろを該中棒に対して回動自在に設け、
該滑車座は中空の筒状を呈し、嵌挿部を具え、かつ両端には、該１係合部に係合する第２係合部と、第１連結部とを設け、
該下ろくろ本体は該滑車座に接続し、かつ該第１連結部に連結する第２連結部を設け、該嵌挿部に回動自在に挿設して該可動下ろくろが該中棒に対して回動自在に設けられる。
【００１０】
請求項２に記載する傘布を支持する部分が回動する自動開閉傘は、請求項１における下ろくろ本体の上端縁部に位置決め部を形成し、かつ該可動下ろくろの該位置決め部にする位置に複数の位置決め孔を等間隔で穿設し、該可動下ろくろが回転する場合に該言位置決め部が該位置決め孔内に押接して該可動下ろくろを位置決めする。
【００１１】
請求項３に記載する傘布を支持する部分が回動する自動開閉傘は、請求項２における位置決め部が、凹溝と、該凹溝に設ける弾性体と、該弾性体の上端に設け、かつ該位置決め孔に押接する位置決め球体とを含んでなる。
【００１２】
請求項４に記載する傘布を支持する部分が回動する自動開閉傘は、請求項１における中棒の外周が八角形か、凹状か、凸状か、もしくはその他任意の幾何形状である。
【００１３】
請求項５に記載する傘布を支持する部分が回動する自動開閉傘は、請求項４における下ろくろ本体と該上ろくろ本体の内周の形状が該中棒の外周の形状に対応し、該下ろくろ本体と該上ろくろ本体との内周面と中該棒の外周面との間に一定の力の干渉が発生して、該下ろくろ本体と該上ろくろ本体とが回転することを防ぐ。
【００１４】
請求項６に記載する傘布を支持する部分が回動する自動開閉傘は、請求項１における第２嵌合部が環状の突起部であり、該１嵌合部が環状の溝であって、該環状の突起部が該環状の溝に嵌合して該可動上ろくろが該中棒に対し回動自在に設けられる。
【００１５】
請求項７に記載する傘布を支持する部分が回動する自動開閉傘は、請求項１における第１係合部と該第２係合部とが互いに係合する構造を具え、傘を開いた状態において、該上ろくろ本体と該下ろくろ本体とが互いに連結して位置決めされ、該下ろくろ本体が任意に回転することを防ぐ。
【００１６】
請求項８に記載する傘布を支持する部分が回動する自動開閉傘は、請求項１における第１連結部と該第２連結部とが、螺着か、もしくは係合によって連結する。
【００１７】
請求項９に記載する傘布を支持する部分が回動する自動開閉傘は、請求項１における上ろくろ本体が、該中棒を挿入する挿入部を具える。
【００１８】
請求項１０に記載する傘布を支持する部分が回動する自動開閉傘は、請求項１における可動下ろくろには該嵌挿部に対応する環状嵌合部を形成し、該可動下を該嵌挿部に回動自在に挿設して該可動下ろくろを該中棒に対して回動自在に設ける。
【図面の簡単な説明】
【００１９】
【図１】この考案による自動開閉傘の構造を示した断面図である。
【図２】この考案による自動開閉傘の上ろくろの斜視図である。
【図３】図２に開示する上ろくろの断面図である。
【図４】この考案による自動開閉傘の下ろくろの斜視図である。
【図５】図４に開示する下ろくろの断面図である。
【図６】この考案における滑車座と下ろくろ本体の連結の他の実施の形態を示した断面図である。
【図７】この考案による自動開閉傘を開いた状態を示した説明図である。
【図８】この考案による自動開閉傘における傘布支持部の動作を示した説明図である。
【図９】従来の自動開閉傘に傘布を支持する部分が回動する構造を設けた場合の動作を示した説明図である。
【考案を実施するための形態】
【００２０】
この考案は、傘開いた状態で傘布を支持する部分が回転可能になるとともに、自動開閉傘の引線が該傘布を支持する部分の回転を阻害することのない自動開閉傘を提供するものであって、軸方向に延伸する軸線Ｙを具える中空の中棒と、
上ろくろ本体と、係合部材と、可動上ろくろとを含んでなり、該中棒の上端に回動自在に設ける上ろくろと、
下ろくろ本体と、可動下ろくろと、一方の側に設けた索輪と該索輪に当接し、かつ該上ろくろに連結する引線を具える滑車座とを含んでなり、該中棒に回動自在に設ける下ろくろと、
該可動上ろくろと該可動下ろくろとに連結する複数の傘骨と、該傘骨の外面を覆う傘布とを含んでなる傘布支持部と、を含み、
該上ろくろ本体は、中空の筒状を呈し、中棒を回動自在に挿設するとともに、上下両端には、それぞれ第１枢着部と第１係合部とを形成し、
該係合部材は、該上ろくろ本体に取付け、かつ上下両端に第２枢着部と突起部とをそれぞれ形成し、該第２枢着部は該第１枢着部に対応して形成し、該突起部と該第１枢着部間には第１嵌合部を形成し、該可動上ろくろを該中棒に対して回動自在に設け、
該滑車座は中空の筒状を呈し、嵌挿部を具え、かつ両端には、該１係合部に係合する第２係合部と、第１連結部とを設け、
該下ろくろ本体は該滑車座に接続し、かつ該第１連結部に連結する第２連結部を設け、該嵌挿部に回動自在に挿設して該可動下ろくろが該中棒に対して回動自在に設けられる。係る傘布を支持する部分が回動する自動開閉傘構造と特徴を説明するために、具体的な実施例を挙げ、図面を参照にして以下に詳述する。但し、自動開閉傘の原理、構造に関しては当業者の熟知するものである故、以下の実施の形態においては自動開閉傘の全体構造については言及しない。また、同時に提出する図面はこの考案の構造を開示したものであって、実際の寸法に基づく完全な図面ではないことを先に述べておく。
【実施例】
【００２１】
図１に、この考案の実施の形態を開示する。この考案による自動開閉傘は、中棒１と、上ろくろ２と、下ろくろ３と、傘布支持部４とを含んでなる。
【００２２】
図１から図３に開示するように、中棒１は中空であって、軸方向に延伸する軸線Ｙを具える。
【００２３】
上ろくろ２は、中棒１の上端に回動自在に設け、上ろくろ本体２１と、係合部材２２と、可動上ろくろ２３とを含む。上ろくろ本体２１は、中空の筒状を呈し、中棒１を挿入する挿入部２１１を具え、中棒１を回動自在に挿設する。また、上ろくろ本体２１の上下両端には、それぞれ第１枢着部２１２と第１係合部２１３とを形成する。
【００２４】
係合部材２２は上ろくろ本体２１に取付け、上下両端には、それぞれ第２枢着部２２１と突起部２２２とを形成する。第２枢着部２２１は第１枢着部２１２に対応して形成する。突起部２２２と第１枢着部２１２との間には、軸線Ｙに沿って第１嵌合部２２３を形成する。実施例において第１嵌合部２２３は環状に形成した溝である。
【００２５】
可動上ろくろ２３は第１嵌合部２２３に嵌合し、かつ連動して回転する第２嵌合部２３１を具える。実施例において第２嵌合部２３１は環状の突起部であって、該環状の突起部が該環状の溝に嵌合し、連動して回転する。よって、可動上ろくろ２３は軸線Ｙを中心にして、中棒１に対し回動自在に設ける。
【００２６】
図１から図５に開示するように、実施例における下ろくろ３は、回動自在に中棒１に設け、滑車座３１と、下ろくろ本体３２と、可動下ろくろ３３とを含む。滑車座３１には一方の側に索輪６を設け、索輪６には上ろくろ本体２１に連結した引線７が当接する。
【００２７】
滑車座３１は中空の筒状を呈し、軸線Ｙに沿って嵌挿部３１１を具える。また、滑車座３１の両端には、第１係合部２１３に係合する第２係合部３１２と、第１連結部３１３とを設ける。
【００２８】
下ろくろ本体３２は、滑車座３１に接続する。また、第１連結部３１３に連結する第２連結部３２１を設ける。可動下ろくろ３３には嵌挿部３１１に対応する環状嵌合部３３２を形成し、可動下ろくろ３３を嵌挿部３１１に回動自在に挿設する。このため、可動下ろくろ３３は、軸線Ｙを中心として、中棒１に対して回動自在に設けられる。
【００２９】
傘布支持部４は、可動上ろくろ２３と可動下ろくろ３３とに連結する複数の傘骨４１と、傘骨４１の外面を覆う傘布４２とを含んでなる。
【００３０】
以上の構造によれば、傘を開くと上ろくろ本体２１と下ろくろ本体３２とは、第１係合部２１３と第２係合部３１２との係合によって連結し、位置決めされるため回転しない。傘布支持部４は可動上ろくろ２３と可動下ろくろ３３とに連動する。よって、可動上ろくろ２３と可動下ろくろ３３とは同期して、中棒１に対し回転する。
【００３１】
図６、及び図１から図５に開示するように、実施例においては、下ろくろ本体３２の上端縁部に位置決め部５を形成し、かつ可動下ろくろ３３の位置決め部５に対応する位置に複数の位置決め孔３３１を等間隔で穿設する。位置決め部５は、凹溝５１と、凹溝５１に設ける弾性体５２と、弾性体５２の上端に設け、かつ位置決め孔３３１に押接する位置決め球体５３とを含んでなる。
【００３２】
可動下ろくろ３３が回転すると、位置決め部５の位置決め球体５３は弾性体５２の付勢力によって位置決め孔３３１内に押接して可動下ろくろ３３を位置決めする。
【００３３】
特筆すべきは、中棒１の外周を八角形に形成する点である。また、下ろくろ本体３２と上ろくろ本体２１の内周は中棒１と同様の八角形とする。即ち、いずれも角度を有する形状とする。このため、下ろくろ本体３２と上ろくろ本体２１の内周面と中棒１の外周面との間に一定の力の干渉が発生し、下ろくろ本体３２と上ろくろ本体２１とは、可動上ろくろ２３と可動下ろくろ３３とに対して、任意に回転することがない。当然のことながら、八角形に限定することはなく、例えば凹状、凸状、もしくはその他如何なる幾何形状であってもよい。下ろくろ本体３２と上ろくろ本体２１の内周を同様の凹状、凸状、もしくはその他如任意の幾何形状にすることによって、中棒１に対して一定の力の干渉が発生する。
【００３４】
また、第１係合部２１３と第２係合部３１２とは互いに係合する。但し、その連結構造は、これに限らない。実施例において第１係合部２１３と第２係合部３１２とは互いに係合する構造を具える。よって、傘を開いた状態において、上ろくろ本体２１と下ろくろ本体３２とが互いに連結して位置決めされ、下ろくろ本体３２が任意に回転することを防ぐ。
【００３５】
第１連結部３１３と第２連結部３２１とは、嵌合によって連結するが、但し、係る構造に限定することはない。例えば、第１連結部３１３と第２連結部３２１とが係合によって連結してもよく、もしくは図７に開示するように螺着であってもよい。
【００３６】
図８に開示するように、この考案よる傘を開いて使用する場合は、 可動上ろくろ２３と可動下ろくろ３３とが中棒１に対して回転する作用を有するため、傘布支持部４が強風を受けた場合、もしくは傘骨４１の露先が人に当たったりして外部からの衝撃を受けた場合、傘布支持部４は可動上ろくろ２３と可動下ろくろ３３に連動し、且つ同期して、中棒１に対し回転する。このため、傘骨４１は外部からの力を受けて損壊することがなく、傘の使用寿命を延長することができる。また、傘骨４１の露先が人に当たり、目、顔などを傷つけることを防ぐ。
【００３７】
ここで特筆すべきは、この考案による傘において可動下ろくろ３３が回転する場合、下ろくろ本体３２と滑車座３１が回転しないという点である。このため、可動下ろくろ３３が回転しても、引線が絡まり回転が止まることがない。
【００３８】
以上はこの考案の好ましい実施の形態であって、この考案の実施の範囲を限定するものではない。よって、この考案の精神の下においてなされ、この考案に対して均等の効果を有する変更、修正などは、いずれもこの考案の実用新案登録請求の範囲に属するものとする。
【符号の説明】
【００３９】
１       中棒
２       上ろくろ
２１     上ろくろ本体
２１１   挿入部
２１２   第１枢着部
２１３   第１係合部
２２     係合部材
２２１   第２枢着部
２２２   突起部
２２３   第１嵌合部
２３     可動上ろくろ
２３１   第２嵌合部
３       下ろくろ
３１     滑車座
３１１   嵌挿部
３１２   第２係合部
３１３   第１連結部
３２     下ろくろ本体
３２１   第２連結部
３３     可動下ろくろ
３３１   位置決め孔
３３２   環状嵌合部
４       傘布支持部
４１     傘骨
５       位置決め部
５１     凹溝
５２     弾性体
５３     位置決め球体
６       索輪
７       引線
Ｙ       軸線
【図１】
0003200434.tif 000003
【図２】
0003200434.tif 000004
【図３】
0003200434.tif 000005
【図４】
0003200434.tif 000006
【図５】
0003200434.tif 000007
【図６】
0003200434.tif 000008
【図７】
0003200434.tif 000009
【図８】
0003200434.tif 000010
【図９】
0003200434.tif 000011
【手続補正書】
【提出日】平成27年8月19日(2015.8.19)
【手続補正１】
【補正対象書類名】実用新案登録請求の範囲
【補正対象項目名】全文
【補正方法】変更
【補正の内容】
【実用新案登録請求の範囲】
【請求項１】
軸方向に延伸する軸線Ｙを具える中空の中棒と、上ろくろ本体と、係合部材と、可動上ろくろとを含んでなり、
該中棒の上端に回動自在に設ける上ろくろと、下ろくろ本体と、可動下ろくろと、一方の側に設けた索輪と該索輪に当接し、かつ該上ろくろに連結する引線を具える滑車座とを含んでなり、
該中棒に回動自在に設ける下ろくろと、該可動上ろくろと該可動下ろくろとに連結する複数の傘骨と、該傘骨の外面を覆う傘布とを含んでなる傘布支持部と、を含む自動開閉傘であって、
該上ろくろ本体は、中空の筒状を呈し、中棒を回動自在に挿設するとともに、上下両端には、それぞれ第１枢着部と第１係合部とを有し、
該係合部材は、該上ろくろ本体に取付けられ、かつ上下両端に第２枢着部と突起部とをそれぞれ有し、該第２枢着部は該第１枢着部に対応し、該突起部と該第１枢着部間には第１嵌合部を有し、該可動上ろくろを該中棒に対して回動自在に設けられ、
該滑車座は中空の筒状を呈し、嵌挿部を具え、かつ両端には、該第１係合部に係合する第２係合部と、第１連結部とを有し、
該下ろくろ本体は該滑車座に接続し、かつ該第１連結部に連結する第２連結部を有し、該嵌挿部に回動自在に挿設して該可動下ろくろが該中棒に対して回動自在に設けられ、
傘を開いた状態時、該上ろくろ本体と該下ろくろ本体とが、該第１係合部に該第２係合部が係合して位置決めされて任意な回転を防ぎ、該傘布支持部が該可動上ろくろと該可動下ろくろとに連動し、該可動上ろくろと該可動下ろくろとが同期して該中棒に対して回転するように構成することを特徴とする傘布を支持する部分が回動する自動開閉傘。
【請求項２】
前記下ろくろ本体の上端縁部には位置決め部を有し、かつ該可動下ろくろが位置決めされる位置には複数で等間隔の位置決め孔を有し、該可動下ろくろの回転時、該位置決め部が該位置決め孔内に押接して該可動下ろくろを位置決めすることを特徴とする請求項１に記載の傘布を支持する部分が回動する自動開閉傘。
【請求項３】
前記位置決め部が、凹溝と、該凹溝に設ける弾性体と、該弾性体の上端に設けられるとともに、該位置決め孔に押接される位置決め球体とを含んでなることを特徴とする請求項２に記載の傘布を支持する部分が回動する自動開閉傘。
【請求項４】
前記中棒の外周は八角形か、凹状か、凸状であることを特徴とする請求項１に記載の傘布を支持する部分が回動する自動開閉傘。
【請求項５】
前記下ろくろ本体と該上ろくろ本体の内周の形状は該中棒の外周の形状に対応し、該下ろくろ本体と該上ろくろ本体との内周面と該中棒の外周面との間に一定の力の干渉が発生して、該下ろくろ本体と該上ろくろ本体との回転を防ぐことを特徴とする請求項４に記載の傘布を支持する部分が回動する自動開閉傘。
【請求項６】
第２嵌合部を有し、該第２嵌合部は環状の突起部であり、該第１嵌合部は環状の溝であって、該環状の突起部が該環状の溝に嵌合して該可動上ろくろが該中棒に対し回動自在に設けられることを特徴とする請求項１に記載の傘布を支持する部分が回動する自動開閉傘。
【請求項７】
前記第１係合部と該第２係合部とは互いに係合可能であり、傘を開いた状態時、該上ろくろ本体と該下ろくろ本体とが互いに連結して位置決めされ、該下ろくろ本体が任意に回転することを防ぐことを特徴とする請求項１に記載の傘布を支持する部分が回動する自動開閉傘。
【請求項８】
前記第１連結部と該第２連結部とは、螺着か、もしくは係合によって連結することを特徴とする請求項１に記載の傘布を支持する部分が回動する自動開閉傘。
【請求項９】
前記上ろくろ本体は、該中棒を挿入する挿入部を具えることを特徴とする請求項１に記載の傘布を支持する部分が回動する自動開閉傘。
【請求項１０】
前記可動下ろくろには該嵌挿部に対応する環状嵌合部を有し、該可動下ろくろを該嵌挿部に回動自在に挿設して該可動下ろくろを該中棒に対して回動自在に設けることを特徴とする請求項１に記載の傘布を支持する部分が回動する自動開閉傘。